(57)【要約】【課題】  上腕骨等の骨折や脱臼をしていて整復固定が必要な患者は、腕を三角巾を用いて固定する等の必要がある。このような患者が、三角巾をリング状に縛ったり、該縛った三角金を頭に通したり外したりする行為が面恫かつ煩雑で、患者に無用な負担を強い、前腕の吊持ち保持が一人では簡単にできない。【解決手段】  着衣１の左右前身ごろ４、５には左右内側見返し部２６、１７と左右外側見返し部２７、１８とで構成される前腕保持部３３が貫通孔状に形成されていて、該着衣１を着る患者は、上腕を自然に垂らした状態で前腕２３を前腕保持部３３に貫通させて自然に下げることで、該前腕２３は前腕保持部３３によって吊持ち状に保持されることになる。【選択図】        図５
2006112011.tif 000002
【特許請求の範囲】
【請求項１】
腕や肩を整復固定するための患者用着衣であって、該着衣には、前身ごろに前腕を吊持ち状に保持するための前腕保持部が形成されていることを特徴とする患者用着衣。
【請求項２】
請求項１において、前腕保持部は、左右両側が開口していて左右何れからも前腕を挿入できるようになっていることを特徴とする患者用着衣。
【請求項３】
請求項１または２において、前身ごろは左右前身ごろとして分割され、該左右前身ごろは互いに対向する左右端部が合せ着けられるものであり、前腕保持部は左右前身ごろの合せ着け部に設けられていることを特徴とする患者用着衣。
【請求項４】
請求項３において、前腕保持部は、合せ着け部の合せ幅より左右方向に幅広になっていることを特徴とする患者用着衣。
【請求項５】
請求項３または４において、前腕保持部は、合せ着け部と前身ごろとのあいだが開口することで構成されていることを特徴とする患者用着衣。
【請求項６】
請求項１乃至５の何れかにおいて、前腕保持部は、保持する腕が着衣内にあるようにして着たとき、前腕を着衣内から前腕保持部で保持する状態で着衣外に出せるように構成されていることを特徴とする患者用着衣。
【請求項７】
請求項３乃至６の何れかにおいて、前腕保持部は、左右前身ごろにそれぞれ設けられる合せ着け部で構成され、該合せ着け部同志は、着脱自在に一体化されていることを特徴とする患者用着衣。
【請求項８】
請求項１または２において、着衣は、左右何れか一方の端部から前身ごろを拡開して脱げるものであることを特徴とする患者用着衣。
【請求項９】
請求項１、２、３または８において、前腕保持部は、左右に一対設けられていることを特徴とする患者用着衣。
【発明の詳細な説明】
【技術分野】
【０００１】
本発明は、上腕骨、鎖骨、肩間接等の骨折や脱臼を患っている患者のための着衣の技術分野に属するものである。
【背景技術】
【０００２】
一般に、この種の着衣としては、例えば前身ごろの中央部に襟刳から腹部まで上下方向にオープンファスナを設けるとともに、襟首から左右袖口まで達するオープンファスナを設けて腕を動かすことのできないような患者の着替えを容易にできるようにしたものがある（例えば、特許文献１参照。）。
【特許文献１】特開平１１−９３００６号公報
【発明の開示】
【発明が解決しようとする課題】
【０００３】
ところで上腕骨等の骨折や脱臼をしていて整復固定が必要な患者は、腕を三角巾を用いて固定する等の必要がある。このような患者が、前記従来の着衣を着た場合に、着衣自体の着替えについては容易化が計れるかもしれないが、三角巾をリング状に縛ったり、該縛った三角巾を頭に通したり外したりする行為が面倒かつ煩雑で、患者に無用な負担を強い、場合によっては患者一人ではできず、看護者や介護者にやってもらわなければならないといった問題があり、ここに本発明が解決しようとする課題がある。
【課題を解決するための手段】
【０００４】
本発明は、上記の如き実情に鑑みこれらの課題を解決することを目的として創作されたものであって、請求項１の発明は、腕や肩を整復固定するための患者用着衣であって、該着衣には、前身ごろに前腕を吊持ち状に保持するための前腕保持部が形成されていることを特徴とする患者用着衣である。
請求項２の発明は、請求項１において、前腕保持部は、左右両側が開口していて左右何れからも前腕を挿入できるようになっていることを特徴とする患者用着衣である。
請求項３の発明は、請求項１または２において、前身ごろは左右前身ごろとして分割され、該左右前身ごろは互いに対向する左右端部が合せ着けられるものであり、前腕保持部は左右前身ごろの合せ着け部に設けられていることを特徴とする患者用着衣である。
請求項４の発明は、請求項３において、前腕保持部は、合せ着け部の合せ幅より左右方向に幅広になっていることを特徴とする患者用着衣である。
請求項５の発明は、請求項３または４において、前腕保持部は、合せ着け部と前身ごろとのあいだが開口することで構成されていることを特徴とする患者用着衣である。
請求項６の発明は、請求項１乃至５の何れかにおいて、前腕保持部は、保持する腕が着衣内にあるようにして着たとき、前腕を着衣内から前腕保持部で保持する状態で着衣外に出せるように構成されていることを特徴とする患者用着衣である。
請求項７の発明は、請求項３乃至６の何れかにおいて、前腕保持部は、左右前身ごろにそれぞれ設けられる合せ着け部で構成され、該合せ着け部同志は、着脱自在に一体化されていることを特徴とする患者用着衣である。
請求項８の発明は、請求項１または２において、着衣は、左右何れか一方の端部から前身ごろを拡開して脱げるものであることを特徴とする患者用着衣である。
請求項９の発明は、請求項１、２、３または８において、前腕保持部は、左右に一対設けられていることを特徴とする患者用着衣である。
【発明の効果】
【０００５】
請求項１の発明とすることにより、他に部材を要することなく、患者一人で容易に腕を整復固定することができる。
請求項２の発明とすることにより、左右いずれの腕の整復固定にも用いることができる。
請求項３の発明とすることにより、より強い負荷に耐えられる構造とすることができる。
請求項４の発明とすることにより、より広い幅で腕を保持することができる。
請求項５の発明とすることにより、着衣の下に着ている肌着等が露出せず、また、腕保持部に支持されている前腕の汚れが肌着等に付着することを防ぐことができる。
請求項６の発明とすることにより、袖口やアームホールに腕を通さずに前腕保持部で腕を保持することができ、この状態であっても着衣前面がはだけることがない。
請求項７の発明とすることにより、合せ着け部のズレを防ぐことができる。
請求項８の発明とすることにより、腕をより安定させて支持することができる。
請求項９の発明とすることにより、左右前腕を同時に保持することができる。
【発明を実施するための最良の形態】
【０００６】
次に、本発明の実施の形態について、図面に基づいて説明する。図面において、１は前腕を固定して整復することが必要な患者用の着衣であって、該着衣１は、着衣本体２と袖部３とで構成されているが、着衣本体２は左右の前身ごろ４、５後身ごろ６とで構成されており、該左右の前身ごろ４、５と後身ごろ６とは、脇部７をアームホール８が半袖状に開口する状態で一体に縫着されている。そしてこのものでは、脇の下部９がメッシュ地となっていて通気性の高い構成となっている。
また肩部１０については、左右の前身ごろ４、５と後身ごろ６とが適宜間隔を存して縫着した面ファスナー１１を介して着脱自在に止着されていて、着替え時等において肩部１０を拡開できるようになっている。
【０００７】
前記アームホール８には、袖部３がスナップボタン１２を介して着脱自在に止着されるようになっていて、着衣１を、必要において半袖状態と長袖状態とに切換えることができるようになっているが、袖部３についても、前記肩部１０から続くようにして面ファスナー１１を介して拡開可能になっている。
【０００８】
一方、前記左右の前身ごろ４、５にはそれぞれ見返し１３、１４が形成され、該見返し１３、１４に設けられた面ファスナー１５、１６で着脱自在に止着されるが、本実施の形態では右見返し１４が上で、左見返し１３が下となる重合状態で着ることができるようになっているが、逆で有っても勿論よい。
【０００９】
前記右側の見返し１４は、内外に重合した見返し部１７、１８によって構成されるが、内側見返し部１７は、右前身ごろ５から連続する状態で折り返し形成され、外側見返し部１８は、帯紐状態のもので内側見返し部１７よりも左右方向幅広になるように構成されていて、内側見返し部１７の先端（左端）縁よりも左方向に突出した突出部１９が形成されている。そして内外両見返し部１７、１８は、内外に重合する右端同志を、上下方向中間位置を残して縦方向に縫着２０されており、この非縫着部２１によって内外両見返し部１７、１８のあいだには、腕を自然に垂らした状態で上腕２２に対して左右方向に曲げた前腕２３を貫通することができる右側貫通孔２４が形成されている。なお、２５は右側貫通孔２４の上下の縫い止まり位置を横方向に縫着している縫着部である。
尚、左側の見返し１３にも内外見返し部２６、２７、突出部２８、非縫着部２９、左側貫通孔３０、縫着３１、縫着部３２が形成されているが、これらは、右側の見返し１４に対して左右方向が異なる点を除いて同じであるのでその詳細については省略する。
【００１０】
前記右側の突出部１９の内面には非縫着部２１も含めて一方の面ファスナー１６が設けられ、左側突出部２８の外面には他方の面ファスナー１５が設けられており、そして突出部１９、２８同志を、右側突出部１９が上側（外側）となるように重合させて面ファスナー１５、１６同志を止着させて左右前身ごろ４、５端部を合せ着けることができるようになっている。そして、この合せ着け状態で、前記非縫着部２１、２９は面ファスナー１５、１６により一体化し、これによって前記貫通孔２４、３０が一連状に連通することになって、内側見返し部１７、２６の前側面と外側見返し１８、２７の後側面とのあいだに本発明の前腕保持部３３が形成されている。そして、患者はこの前腕保持部３３に前腕２３を貫通させて、該前腕２３を前腕保持部３３に吊持ち状に保持できる構成となっている。
【００１１】
叙述の如く構成された本発明の実施の形態において、前記着衣１の左右前身ごろ４、５には前腕保持部３３が貫通孔状に形成されていて、該着衣１を着る患者は、上腕を自然に垂らした状態で前腕２３を前腕保持部３３に貫通させて自然に下げることで、該前腕２３は前腕保持部３３によって吊持ち状に保持されることになる。この結果、患者は、三角巾のような別部材を要することなく、前腕の吊持ち保持が一人でも簡単にできることになって、三角巾をリング状に縛ったり、該縛った三角巾を頭に通したり外したりする面倒かつ煩雑な行為が不要となって、患者に無用な負担を強い、場合によっては患者一人ではできず看護者や介護者にやってもらわなければならないようなことを回避することができる。
【００１２】
しかもこのものでは、前腕保持部３３が左右両側が開口していて、左右何れの前腕も同じように挿入して吊持ち保持できるから、どちらの患者にも使用できることになって、左右勝手（左専用、右専用）がないものとなる。
しかも前腕保持部３３は、左右前身ごろ４、５として分割されたものを重合して合せ着けた合せ着け部に形成されるため、二重構造（オーバーラップ構造）となって強度アップが計れ、安定した前腕保持ができる。
【００１３】
また前腕保持部３３は、面ファスナー１５、１６によって互いに合せ着けられる部位よりも左右幅広になっているから、前腕２３の保持面積が大きくなって、前腕に負担をかけることを軽減できる。
さらに前腕保持部３３は、前記合せ着け部と左右前身ごろ４、５とのあいだを貫通状に開口して形成されていて、左右前身ごろ４、５は、互いに左右突き合っていて塞がれた状態になっているから、前腕保持部３３を通した前腕が汚れていたとしても、その汚れで着衣内部を汚してしまうことを防止できることになる。
その場合において、図５に示すように、左右の前身ごろ４、５の突き合い端が開口可能なため、保持する腕が着衣内にあるようにして着衣１を着たとき、前腕を、左右前身ごろの左右突き合い端を通して前腕保持部３３で保持することができ、このように着ても前腕の保持ができることになって都合がよい。
【００１４】
また、前腕保持部３３は、左右前身ごろ４、５にそれぞれ設けられる突出部１９、２８同志を面ファスナー１５、１６で着脱自在に一体化されているため、合せ着け部のズレを防いで、安定した前腕保持ができることになる。
【００１５】
尚、本発明は前記実施の形態に限定されるものでないことは勿論であり、例えば図９、１０に示される第二の実施の形態のようにしても実施することができる。このものにおいて、前記第一の実施の形態と同様のものについては同じ引出し符号を付してその詳細な説明を省略する。
本第二の実施の形態の着衣３４は、左前身ごろ３５が右前身ごろ３６の上面側の略一帯を重合状に覆う構成となったものであり、前記左身ごろ３５の端部に形成された見返し部３７の内面側に面ファスナー３８の一方が設けられ、該見返し部３７に対応して右前身ごろ３６の右脇部の外面側に他方の面ファスナー３８が設けられている。そして、左右前身ごろ３５、３６は、右前身ごろ３６を左前見ごろ３５の上側（外側）となるように重合させて、面ファスナー３８同志を止着して、着衣３４の右脇付近で着脱自在に合わせ着けることができる。また、左右前身ごろ３５、３６の合せ着け状態では、右前身ごろ３６の見返し部３９の外側面に面ファスナー４０の一方が設けられ、これに対応して左前身ごろ３５の左脇付近の内側面に面ファスナー４０の他方が設けられてており、該面ファスナー４０同志が止着されているため、左右前身ごろ３５、３６の合せ着けがより確実になされている。
４１、４２は、左前身ごろ３５の左右両側の上下方向中央部に設けられた左右前腕保持部であり、該左右前腕保持部４１、４２は保持片４１ａ、４２ａの上方及び下方を縫着して形成され、左前身ごろ３５の前側面と前記保持片４１ａ、４２ａの後側面とで構成されている。そして、左側の前腕保持部４１は左腕を保持し、右側の前腕保持部４２は右腕を保持できるように設定されているため、前腕保持部４１、４２は左右双方の前腕２３を同時に保持することができ、このようにしても本発明を実施することができる。
【図面の簡単な説明】
【００１６】
【図１】着衣を一部展開した正面図である。
【図２】着衣を一部展開した部分正面図である。
【図３】着衣の使用態様を示した正面図である。
【図４】着衣の使用態様を示した部分正面図である。
【図５】着衣の使用態様を示した正面図である。
【図６】着衣本体の展開図である。
【図７】腕入れ部の縦断面図である。
【図８】（Ａ）、（Ｂ）はそれぞれ左右見返し部の合せ着け前、後の腕入れ部の横断面図である。
【図９】第二の実施の形態の着衣の正面図である。
【図１０】第二の実施の形態の着衣の使用態様を示した正面図である。
【符号の説明】
【００１７】
１    着衣
４    左前身ごろ
５    右前身ごろ
１３  左見返し
１４  右見返し
１５  面ファスナー
１６  面ファスナー
１７  内側見返し部
１８  外側見返し部
１９  突出部
２１  非縫着部
２３  前腕
２４  右側貫通孔
２５  縫着部
２６  内側見返し部
２７  外側見返し部
２８  突出部
２９  非縫着部
３０  左側貫通孔
３２  縫着部
３３  前腕保持部
【図１】
2006112011.tif 000003
【図２】
2006112011.tif 000004
【図３】
2006112011.tif 000005
【図４】
2006112011.tif 000006
【図５】
2006112011.tif 000007
【図６】
2006112011.tif 000008
【図７】
2006112011.tif 000009
【図８】
2006112011.tif 000010
【図９】
2006112011.tif 000011
【図１０】
2006112011.tif 000012